(57)【要約】【課題】  セキュリティー上の問題もなく、簡便な方法で、第三者に鍵を開けるための権限を一時的に付与することができる電子錠システムを提供することを目的とする。【解決手段】  鍵識別情報が、鍵開閉装置４から端末装置３へ送信され（ステップＳ１）、端末装置３にて受信される（ステップＳ２）。端末装置３から、端末識別情報及び鍵識別情報が識別情報として送信され（ステップＳ３）、サーバ装置１にて受信する（ステップＳ４）。次に、識別情報が鍵を解錠するための権限を有しているか否かの判定が行われる（ステップＳ５）。識別情報が権限を有するものと判定された場合は、解錠を認める解錠情報が送信され（ステップＳ６）、端末装置３にて受信する（ステップＳ７）。次に、該解錠情報が送信され（ステップＳ８）、鍵開閉装置４にて解錠情報を受信すると（ステップＳ９）、鍵が開けられる（ステップＳ１０）。【選択図】    図４
2016079644.tif 000002
【特許請求の範囲】
【請求項１】
サーバ装置と、サーバ装置と通信により接続が可能な端末装置と、端末装置と通信が可能な、鍵を自動で開閉する鍵開閉装置とを有する電子錠システムであって、
鍵開閉装置が、
鍵開閉装置を識別する鍵識別情報を記憶する鍵識別情報記憶手段と、
記憶した鍵識別情報を端末装置へ送信する鍵識別情報送信手段と
を備え、
端末装置が、
端末を識別する端末識別情報を記憶する端末識別情報記憶手段と、
鍵識別情報を鍵開閉装置から受信する鍵識別情報受信手段と、
鍵識別情報受信手段により鍵識別情報を受信すると、端末識別情報記憶手段に記憶された端末識別情報及び受信した鍵識別情報を識別情報として、サーバ装置へ送信する識別情報送信手段と
を備え、
サーバ装置が、
鍵の解錠の権限に関する権限情報を記憶する権限記憶手段と、
識別情報を端末装置から受信する識別情報受信手段と、
識別情報受信手段により受信した識別情報と権限記憶手段に記憶された権限情報とを照合し、端末装置の権限の有無を判定する権限判定手段と、
権限判定手段により権限を有すると判定された場合に、解錠を認める解錠情報を端末装置へ送信する第一の解錠情報送信手段と
を備え、
端末装置が、さらに、
解錠情報をサーバ装置から受信する第一の解錠情報受信手段と、
受信した解錠情報を鍵開閉装置へ送信する第二の解錠情報送信手段と
を備え、
鍵開閉装置が、さらに、
解錠情報を端末装置から受信する第二の解錠情報受信手段と、
第二の解錠情報受信手段により解錠情報を受信すると、鍵を開ける解錠手段と
を備える電子錠システム。
【請求項２】
権限に有効期間が設定されている、請求項１に記載の電子錠システム。
【請求項３】
端末装置と鍵開閉装置との通信がＢｌｕｅｔｏｏｔｈ（登録商標）による通信である、請求項１又は２に記載の電子錠システム。
【請求項４】
サーバ装置が、他のサーバ装置と通信することが可能であり、
権限記憶手段に記憶された権限情報が、他のサーバ装置から通信により取得した情報又は該情報により生成される情報である請求項１〜３のいずれかに記載の電子錠システム。
【請求項５】
権限記憶手段に記憶された権限情報を、他の端末装置から設定することが可能である、請求項１〜４のいずれかに記載の電子錠システム。
【請求項６】
鍵識別情報受信手段において受信した鍵識別情報の信号の強度が所定の強度以上である場合に、識別情報送信手段がサーバ装置へ識別情報を送信する、請求項１〜５のいずれかに記載の電子錠システム。
【請求項７】
鍵開閉装置が、鍵の取り付けられた設備に対して設置されたものであり、解錠手段が、該鍵を開けるものである、請求項１〜６のいずれかに記載の電子錠システム。
【請求項８】
サーバ装置と、サーバ装置と通信により接続が可能な端末装置と、端末装置と通信が可能な、鍵を自動で開閉する鍵開閉装置とを有する電子錠システムにおいて実行される解錠方法であって、
鍵開閉装置にて、
第一の記憶手段に記憶された鍵開閉装置を識別する鍵識別情報を端末装置へ送信するステップを実行し、
端末装置にて、
鍵識別情報を鍵開閉装置から受信するステップと、
鍵識別情報を受信すると、第二の記憶手段に記憶された端末を識別する端末識別情報及び受信した鍵識別情報を識別情報として、サーバ装置へ送信するステップと
を実行し、
サーバ装置にて、
識別情報を端末装置から受信するステップと、
受信した識別情報と、第三の記憶手段に記憶された鍵の解錠の権限に関する権限情報とを照合し、端末装置の権限の有無を判定するステップと、
権限を有すると判定された場合に、解錠を認める解錠情報を端末装置へ送信するステップと
を実行し、
端末装置にて、さらに、
解錠情報をサーバ装置から受信するステップと、
受信した解錠情報を鍵開閉装置へ送信するステップと
を実行し、
鍵開閉装置にて、さらに、
解錠情報を端末装置から受信するステップと、
解錠情報を受信すると、鍵を開けるステップと
を実行する解錠方法。
【請求項９】
サーバ装置及び鍵を自動で開閉する鍵開閉装置と通信により接続が可能な端末装置であって、
端末を識別する端末識別情報を記憶する端末識別情報記憶手段と、
鍵識別情報を鍵開閉装置から受信する鍵識別情報受信手段と、
鍵識別情報受信手段により鍵識別情報を受信すると、端末識別情報記憶手段に記憶された端末識別情報及び受信した鍵識別情報を識別情報として、サーバ装置へ送信する識別情報送信手段と、
サーバ装置において、受信した識別情報とサーバ装置にて記憶された権限情報とを照合し、鍵の解錠の権限を有すると判定された場合に送信される解錠情報を、サーバ装置から受信する解錠情報受信手段と、
受信した解錠情報を鍵開閉装置へ送信する解錠情報送信手段と
を備える端末装置。
【発明の詳細な説明】
【技術分野】
【０００１】
電子錠システム、解錠方法、及び、該電子錠システムに用いられる端末装置に関する。
【背景技術】
【０００２】
近年、鍵穴に鍵を指すことなく、ボタンを押すだけでドアなどに設置された鍵を解錠できるキーレスエントリーや、鍵をポケットやカバンの中に入れておき、ボタンを押すことなく、ドアに近づくだけで解錠が可能な電子錠システムに関する技術が開発されている。これらのシステムは、例えば、両手に荷物を持っている場合などでも、鍵穴に鍵を指すことなく解錠できるため、利用者にとって利便性が高く、マンションや自動車などのドアで幅広く利用されている。
【０００３】
ところで、近年の共働きの増加により、家事代行サービスのニーズが高まっている。家事代行サービスを受けるにあたり、依頼者の不在中であっても、依頼者の自宅に一時的に入り必要な仕事をしてもらいたい、というニーズがある。また、ベビーシッターやホームヘルパーの派遣サービスを受ける場合であっても、同様のニーズがある。このような場合、家事代行スタッフ等に合い鍵を渡すことも考えられるが、合い鍵がさらに複製されるなどのセキュリティー上の問題があり、好ましくない。
【発明の概要】
【発明が解決しようとする課題】
【０００４】
本発明は、このような課題を解決するためのものであり、セキュリティー上の問題もなく、簡便な方法で、第三者に鍵を開けるための権限を一時的に付与することができる電子錠システムを提供することを目的とする。
【課題を解決するための手段】
【０００５】
本発明は、サーバ装置と、サーバ装置と通信により接続が可能な端末装置と、端末装置と通信が可能な、鍵を自動で開閉する鍵開閉装置とを有する電子錠システムであって、鍵開閉装置が、鍵開閉装置を識別する鍵識別情報を記憶する鍵識別情報記憶手段と、記憶した鍵識別情報を端末装置へ送信する鍵識別情報送信手段とを備え、端末装置が、端末を識別する端末識別情報を記憶する端末識別情報記憶手段と、鍵識別情報を鍵開閉装置から受信する鍵識別情報受信手段と、鍵識別情報受信手段により鍵識別情報を受信すると、端末識別情報記憶手段に記憶された端末識別情報及び受信した鍵識別情報を識別情報として、サーバ装置へ送信する識別情報送信手段とを備え、サーバ装置が、鍵の解錠の権限に関する権限情報を記憶する権限記憶手段と、識別情報を端末装置から受信する識別情報受信手段と、識別情報受信手段により受信した識別情報と権限記憶手段に記憶された権限情報とを照合し、端末装置の権限の有無を判定する権限判定手段と、権限判定手段により権限を有すると判定された場合に、解錠を認める解錠情報を端末装置へ送信する第一の解錠情報送信手段とを備え、端末装置が、さらに、解錠情報をサーバ装置から受信する第一の解錠情報受信手段と、受信した解錠情報を鍵開閉装置へ送信する第二の解錠情報送信手段とを備え、鍵開閉装置が、さらに、解錠情報を端末装置から受信する第二の解錠情報受信手段と、第二の解錠情報受信手段により解錠情報を受信すると、鍵を開ける解錠手段とを備える電子錠システムに関する。
【０００６】
権限に有効期間が設定されていることが好ましい。
【０００７】
端末装置と鍵開閉装置との通信はＢｌｕｅｔｏｏｔｈ（登録商標）による通信であることが好ましい。
【０００８】
サーバ装置は、他のサーバ装置と通信することが可能であり、権限記憶手段に記憶された権限情報は、他のサーバ装置から通信により取得した情報又は該情報により生成される情報であることが好ましい。
【０００９】
権限記憶手段に記憶された権限情報を、他の端末装置から設定することが可能であることが、好ましい。
【００１０】
鍵識別情報受信手段において受信した鍵識別情報の信号の強度が所定の強度以上である場合に、識別情報送信手段はサーバ装置へ識別情報を送信することが好ましい。
【００１１】
鍵開閉装置は、鍵の取り付けられた設備に対して設置されたものであり、解錠手段は、該鍵を開けるものであることが好ましい。
【００１２】
本発明は、サーバ装置と、サーバ装置と通信により接続が可能な端末装置と、端末装置と通信が可能な、鍵を自動で開閉する鍵開閉装置とを有する電子錠システムにおいて実行される解錠方法であって、鍵開閉装置にて、第一の記憶手段に記憶された鍵開閉装置を識別する鍵識別情報を端末装置へ送信するステップを実行し、端末装置にて、鍵識別情報を鍵開閉装置から受信するステップと、鍵識別情報を受信すると、第二の記憶手段に記憶された端末を識別する端末識別情報及び受信した鍵識別情報を識別情報として、サーバ装置へ送信するステップとを実行し、サーバ装置にて、識別情報を端末装置から受信するステップと、受信した識別情報と、第三の記憶手段に記憶された鍵の解錠の権限に関する権限情報とを照合し、端末装置の権限の有無を判定するステップと、権限を有すると判定された場合に、解錠を認める解錠情報を端末装置へ送信するステップとを実行し、端末装置にて、さらに、解錠情報をサーバ装置から受信するステップと、受信した解錠情報を鍵開閉装置へ送信するステップとを実行し、鍵開閉装置にて、さらに、解錠情報を端末装置から受信するステップと、解錠情報を受信すると、鍵を開けるステップとを実行する解錠方法に関する。
【００１３】
本発明は、サーバ装置及び鍵を自動で開閉する鍵開閉装置と通信により接続が可能な端末装置であって、端末を識別する端末識別情報を記憶する端末識別情報記憶手段と、鍵識別情報を鍵開閉装置から受信する鍵識別情報受信手段と、鍵識別情報受信手段により鍵識別情報を受信すると、端末識別情報記憶手段に記憶された端末識別情報及び受信した鍵識別情報を識別情報として、サーバ装置へ送信する識別情報送信手段と、サーバ装置において、受信した識別情報とサーバ装置にて記憶された権限情報とを照合し、鍵の解錠の権限を有すると判定された場合に送信される解錠情報を、サーバ装置から受信する解錠情報受信手段と、受信した解錠情報を鍵開閉装置へ送信する解錠情報送信手段とを備える端末装置に関する。
【発明の効果】
【００１４】
本発明によれば、セキュリティー上の問題もなく、簡便な方法で、第三者に鍵を開けるための権限を付与することができる。
【図面の簡単な説明】
【００１５】
【図１】本発明の実施の形態に係る電子錠システムの構成を示すブロック図である。
【図２】本発明の実施の形態に係るサーバ装置の構成を示すブロック図である。
【図３】本発明の実施の形態に係る端末装置と鍵開閉装置の構成を示すブロック図である。
【図４】本発明の実施の形態に係る解錠処理のフローチャートを示す図である。
【図５】本発明の実施の形態に係る権限情報テーブルを表す図である。
【図６】本発明の実施の形態に係る専用アプリケーションの自動起動処理のフローチャートを示す図である。
【図７】本発明の実施の形態にかかる権限付与システムの構成を示すブロック図である。
【図８】本発明の実施の形態にかかる権限付与処理のフローチャートを示す図である。
【発明を実施するための形態】
【００１６】
以下、図面を参照して、本発明の実施の形態について説明する。以下で説明するフローチャートを構成する各処理の順序は、処理内容に矛盾や不整合が生じない範囲で順不同である。
【００１７】
図１は、本発明の実施の形態に係る電子錠システムの構成を示すブロック図である。図示するように、電子錠システムは、サーバ装置１と、端末装置３と、鍵開閉装置４と、通信ネットワーク２とから構成される。サーバ装置１と端末装置３は、通信ネットワーク２を介してサーバ装置１と接続されている。端末装置３は、サーバ装置１と常時接続されていなくてもよく、必要に応じて、接続が可能であればよい。端末装置３は、鍵開閉装置４と所定の距離以内に近づくことにより通信が可能となる。
【００１８】
図２は、本発明の実施の形態に係るサーバ装置の構成を示すブロック図である。サーバ装置１は、制御部１１、ＲＡＭ１２、記憶領域１３及び通信インターフェイス１４を備え、それぞれ内部バスにより接続されている。制御部１１は、ＣＰＵやＲＯＭから構成され、ＨＤＤやＳＳＤ等の記憶領域１３に格納されたプログラムを実行し、サーバ装置１の制御を行なう。また、制御部１１は時間を計時する内部タイマを備えている。ＲＡＭ１２は、制御部１１のワークエリアである。
【００１９】
記憶領域１３には、鍵の解錠の権限に関する権限情報が記憶されている。制御部１１は、通信インターフェイス１４により端末装置３から受信した識別情報と、記憶領域１３に記憶された権限情報とを照合し、端末装置３の権限の有無を判定する。端末装置３が権限を有すると判定された場合は、通信インターフェイス１４により、鍵開閉装置４による解錠を認める解錠情報が端末装置３へ送信される。
【００２０】
図３は、本発明の実施の形態に係る端末装置と鍵開閉装置の構成を示すブロック図である。端末装置３は、鍵を解錠することを一時的に認められた代理者が有する端末装置であり、例えば、携帯電話やスマートフォンなどが挙げられる。端末装置３は、制御部３１、ＲＡＭ３２、表示部３３、ストレージ３５、入力部３６及び通信インターフェイス３７からなり、それぞれ内部バスにより接続されている。
【００２１】
制御部３１は、ＣＰＵやＲＯＭから構成される。制御部３１は、ストレージ３５に格納されたプログラムを実行し、クライアント装置３の制御を行なう。また、制御部３１は時間を計時する内部タイマを備えている。ＲＡＭ３２は、制御部３１のワークエリアである。ストレージ３５は、プログラムやデータを保存するための記憶領域である。制御部３１は、鍵開閉装置４の解錠に必要なプログラム及びデータをＲＡＭ３２から読み出して処理を行なう。
【００２２】
表示装置３３は表示画面３４を有している。制御部３１は描画命令を出力し、表示画面３４に画像を表示するためのビデオ信号を出力する。入力部３６は、例えば、ボタンやタッチパネル式の表示画面から構成される。ユーザによる入力部３６からの入力情報はＲＡＭ３２に格納され、制御部３１は入力情報をもとに各種の演算処理を実行する。また、通信インターフェイス３７は、Ｂｌｕｅｔｏｏｔｈ（登録商標）３７ａや通信アンテナ３７ｂ、ＧＰＳ３７ｃを備えている。
【００２３】
端末装置３は、通信アンテナ３７ｂにより通信ネットワーク２に接続が可能であり、サーバ装置１との間で情報の送受信を行う。例えば、端末装置３を識別する端末識別情報と、鍵開閉装置４から受信した鍵識別情報をサーバ装置１に送信し、サーバ装置１から解錠情報を受信する。また、端末装置３は、Ｂｌｕｅｔｏｏｔｈ（登録商標）３７ａにより鍵開閉装置４から鍵識別情報を受信し、鍵開閉装置４へサーバ装置１から受信した解錠情報を送信する。端末装置３と鍵開閉装置４との通信方式として、Ｂｌｕｅｔｏｏｔｈ（登録商標）を採用することで、他の通信方式を採用した場合と比べて、鍵開閉装置４において電力の消費を抑え、バッテリーを長持ちさせることができる。そのため、バッテリー交換などのメンテナンスの頻度を少なくすることができる。また、ＧＰＳ３７ｃにより端末装置３の位置を特定することもできる。
【００２４】
鍵開閉装置４は、ドアの鍵機構そのものとしてドアに設置されたものであってもよく、通常の鍵付ドアに外付けで設置されたものであってもよい。新設のドアの鍵として鍵開閉装置４を取り付けるのではなく、既存の鍵の取り付けられたドアに設置することが可能であるので、より低いコストで、本発明の電子錠システムを導入することができる。鍵開閉装置４には、装置ごとに識別が可能な鍵識別情報が付与されている。
【００２５】
鍵開閉装置４は、制御装置４１、通信インターフェイス４２、バッテリー４３及び鍵開閉部４４を備え、それぞれ内部バスにより接続されている。制御装置４１は、鍵開閉部４４による鍵の開閉を制御するものであり、端末装置３から解錠情報を受信することで、鍵開閉部４４へ解錠の実行要求を出力する。通信インターフェイス４２は、鍵開閉装置４を識別する鍵識別情報を端末装置３へ送信し、解錠情報を端末装置３から受信する。バッテリー４３は、制御装置４１、通信インターフェイス４２及び鍵開閉部４４に電力を供給する。鍵開閉部４４は、鍵の開閉を実行する機能を有する。
【００２６】
次に、本発明の電子錠システムにおける解錠処理について説明する。図４は、本発明の実施の形態に係る解錠処理のフローチャートを示す図である。鍵を解錠することを一時的に認められた代理者が、代理者の端末装置であるとして予め登録を行った端末装置を所持し、鍵開閉装置４と、Ｂｌｕｅｔｏｏｔｈ（登録商標）による通信が可能な距離に近づくことで、解錠処理が開始される。なお、ここでは、端末装置３と鍵開閉装置４の通信はＢｌｕｅｔｏｏｔｈ（登録商標）により行われるとしたが、通信方式は、これに限定されるわけではなく、適宜選択することが可能である。
【００２７】
まず、鍵開閉装置４を一意に特定することのできる鍵識別情報が、鍵開閉装置４から端末装置３へ送信される（ステップＳ１）。端末装置３にて鍵識別情報が受信されると（ステップＳ２）、端末装置３を一意に特定することのできる端末識別情報及び受信した鍵識別情報が、識別情報としてサーバ装置１へ送信される（ステップＳ３）。
【００２８】
サーバ装置１にて識別情報を受信すると（ステップＳ４）、サーバ装置１の記憶領域１３に設定された権限情報テーブルを参照し、受信した端末識別情報と鍵識別情報が、鍵を解錠するための権限を有しているか否かの判定が行われる（ステップＳ５）。
【００２９】
図５は、本発明の実施の形態に係る権限情報テーブルを表す図である。鍵の所有者が、一時的に代理者に対して解錠を認める場合に、権限を付与する旨の登録を事前に行うことで、この代理者に対して解錠を認める権限が付与される。権限情報テーブル５０は、代理者に対して認められる権限の内容が記憶されたものである。
【００３０】
権限情報テーブル５０は、それぞれの権限ナンバー５１と関連付けて、鍵識別ＩＤ５２、端末ＩＤ５３、開始時間５４及び終了時間５５が記憶されている。鍵識別ＩＤ５２は、鍵識別情報に対応するものであり、鍵開閉装置４を一意に特定することのできるものである。端末ＩＤ５３は、端末識別情報に対応するものであり、端末装置３を一意に特定することのできるものである。開始時間５４は、権限の有効期間が開始される時間を特定するものであり、終了時間５５は、権限の有効期間が終了する時間を特定するものである。例えば、権限ナンバー「００００１」では、鍵識別情報として「ＡＢＣ００１」を有する鍵開閉装置４について、端末識別情報として「Ｘ０１」を有する端末装置３が２０１４年１０月１日１０時から２０１４年１０月１日１６時まで、解錠のための権限を有している。
【００３１】
ステップＳ５における判定では、端末装置３から受信した鍵識別情報及び端末識別情報の両方が、同じ権限ナンバー５１の鍵識別ＩＤ５２及び端末ＩＤ５３と一致する場合に、権限を有すると判定される。端末装置３から受信した鍵識別情報と端末識別情報のいずれかが、鍵識別ＩＤ５２又は端末ＩＤ５３と一致しない場合は、権限を有しないと判定される。また、端末装置３から受信した端末識別情報及び鍵識別情報が、同じ権限ナンバー５１の鍵識別ＩＤ５２及び端末ＩＤ５３と一致していた場合であっても、サーバ装置１が識別情報を受信した時間が、開始時間５４から終了時間５５までである場合にのみ、権限を有していると判定される。サーバ装置１が識別情報を受信した時間が、開始時間５４よりも前であったり、終了時間５５よりも後である場合は、権限を有していないと判定される。このように、権限に有効期間を設定することができるため、権限を付与された人が鍵を解錠することができるのは、有効期間内のみであり、セキュリティーの観点から好ましい。
【００３２】
サーバ装置１にて受信した識別情報が、解錠のための権限を有したものではないと判定された場合は（ステップＳ５においてＮＯ）、解錠されることなく、処理は終了する。一方、サーバ装置１にて受信した識別情報が、解錠のための権限を有したものであると判定された場合は（ステップＳ５においてＹＥＳ）、鍵開閉装置４による解錠を認める解錠情報が端末装置３へ送信される（ステップＳ６）。
【００３３】
サーバ装置１から送信された解錠情報を端末装置３にて受信すると（ステップＳ７）、該解錠情報が鍵開閉装置４に送信される（ステップＳ８）。鍵開閉装置４にて解錠情報を受信すると（ステップＳ９）、鍵開閉部４４により鍵が開けられる（ステップＳ１０）。
【００３４】
鍵開閉装置４は、既存の鍵付のドアの室内側に設置することができる。ドアの室内側には、錠の開け閉めを行うサムターンが設置されており、サムターンのつまみを回すことで、施錠と解錠が可能となる。サムターンのつまみには、鍵開閉部４４に設けられたモーターと連動して回転する固定具が固定されている。ステップＳ９にて鍵開閉装置４が解錠情報を受信すると、モーターが駆動し、モーターの回転軸が所定の角度で回転する。該回転軸の回転に連動して、サムターンのつまみに固定された固定具が回転し、結果として、サムターンのつまみが回転して、解錠が行われる。
【００３５】
また、解錠が行われた後であっても、鍵開閉装置４から信号は発信されており、端末装置３にて信号を受信すると、端末装置３から鍵開閉装置４へ信号を送信する。ただし、利用者が室内に入り、鍵開閉装置４と端末装置３との距離が離れることで、端末装置３にて受信される信号の強度が、所定の強度よりも弱くなった場合は、端末装置３は鍵開閉装置４に信号を返信しない。鍵開閉装置４において端末装置３からの信号が検知されない場合に、鍵開閉部４４により施錠される。
【００３６】
また、端末装置３から鍵開閉装置４へ解錠情報を送信した場合は、この送信履歴を鍵開閉部４４による解錠の履歴として管理することができる。この解錠の履歴から、入退室の履歴を把握することが可能である。端末装置３から鍵開閉装置４へ解錠情報を送信した場合は、その送信履歴がサーバ装置１に送信され、サーバ装置１にて管理される。
【００３７】
ところで、端末装置３において専用のアプリケーション（以下、専用アプリともいう）を利用することにより、ステップＳ２にて鍵開閉装置４から鍵識別情報を受信した後、ステップＳ３にてサーバ装置１へ識別情報を送信するまでの処理、及び、ステップＳ７にてサーバ装置１から解錠情報を受信した後、ステップＳ８にて鍵開閉装置４へ解錠情報を送信するまでの処理を、自動的に実行することが可能となる。この専用アプリは、鍵開閉装置４から鍵識別情報を受信することで、自動的に起動する。そのため、端末装置３を操作することなく、解錠することができる。
【００３８】
次に、端末装置３における専用アプリケーションの自動起動処理について説明する。なお、本発明の電子錠システムにおいて専用アプリケーションの自動起動処理を適用するか否かは、適宜選択できる事項であり、自動起動処理を適用せずに、本発明の電子錠システムを設計することも可能である。図６は、本発明の実施の形態に係る専用アプリケーションの自動起動処理のフローチャートを示す図である。まず、鍵開閉装置４から端末装置３へ鍵識別情報が送信され（ステップＳ１）、端末装置３にて鍵識別情報が受信される（ステップＳ２）。ステップＳ１の鍵識別情報の送信は、近くに端末装置３が存在するか否かにかかわらず、例えば、数秒に１回の頻度で、鍵識別情報が定期的に発信されることにより行われる。鍵識別情報の発信距離には限界があるため、端末装置３が鍵開閉装置４から所定の距離以内に近づくことで、発信された鍵識別情報が端末装置３に検知され、端末装置３が鍵識別情報を受信したこととなる。
【００３９】
ステップＳ２において鍵識別情報が受信されると、鍵識別情報として受信した信号が、所定の強度以上のものであるか否かの判定が行われる（ステップＳ２１）。信号の強度が所定の強度よりも弱い場合は（ステップＳ２１にてＮＯ）、専用アプリが起動することなく処理は終了する。鍵識別情報として受信する信号の強度が所定の強度よりも弱いのは、鍵開閉装置４と端末装置３の距離が離れているためである。そこで、信号の強度が所定の強度よりも弱い場合は専用アプリが起動せずに、識別情報が送信されないような構成とすることで、端末装置３を有する利用者がドアの近くにいないのに、鍵が開いてしまうのを防ぐことができる。
【００４０】
受信した信号の強度が所定の強度以上である場合は（ステップＳ２１にてＹＥＳ）、特に操作をすることなく、専用アプリが起動され（ステップＳ２２）、端末装置３の端末識別情報及び受信した鍵識別情報が識別情報としてサーバ装置１へ送信される（ステップＳ３）。ステップＳ３以降は、図４で示したステップＳ４からの処理が引き続き実行される。なお、端末識別情報は、事前に専用アプリに登録することができる。
【００４１】
次に、本発明の電子錠システムにおいて、鍵の所有者である依頼者が、端末装置３を所有する代理者に鍵を解錠するための権限を付与する際における、権限付与システムについて説明する。権限付与システムは、電子錠システムを運営する事業者が、例えば、家事代行スタッフ、ベビーシッターやホームヘルパーを派遣する事業者等と連携し、これらの派遣事業者が運営するウェブサイトを通じて、依頼者に、家事代行スタッフ等のサービス提供者（代理者）に対して鍵を解錠するための権限を付与させることができる。
【００４２】
図７は、本発明の実施の形態にかかる権限付与システムの構成を示すブロック図である。権限付与システムは、サーバ装置１と、端末装置３と、鍵開閉装置４と、依頼用端末装置６と、依頼用サーバ装置７とから構成される。依頼用端末装置６は、通信ネットワーク２を介して依頼用サーバ装置７と接続されている。また、依頼用サーバ装置７は、通信ネットワークを介してサーバ装置１と接続されている。依頼用サーバ装置７は、依頼用端末装置６及びサーバ装置１と常時接続されていなくてもよく、必要に応じて、接続が可能であればよい。
【００４３】
サーバ装置１は、電子錠システムを運営する事業者が管理するものであり、権限の管理と、代理者が有する端末装置３への権限の付与を実行するものである。依頼用端末装置６は、鍵の所有者である依頼者によって操作される。依頼用サーバ装置７は、例えば、家事代行スタッフ等を派遣する事業者等によって運営されるもので、依頼者は、依頼用端末装置６から、これらの事業者が運営するウェブサイトを介して依頼用サーバ装置７へアクセスすることができる。
【００４４】
ウェブサイトにおいて、年齢や性別、経歴、資格等を参考にしながら、希望する家事代行スタッフ等を選択し、鍵を解錠するための権限の有効期間等を入力する。依頼者によって入力された情報をもとに、権限を付与するための権限情報（依頼者が所有する鍵開閉装置４の鍵識別ＩＤ、選択された代理者が所有する端末装置３の端末ＩＤ、権限の有効期間など）が、依頼用端末装置７からサーバ装置１へ送信される。サーバ装置１にて権限情報を受け付けると、サーバ装置１の権限管理テーブル５０に登録が行われる。
【００４５】
なお、ここでは、依頼者からの権限付与の依頼を受け付ける依頼用サーバ装置７と、権限を付与し、権限を管理するサーバ装置１が、それぞれ別のサーバ装置であるとして記載をしたが、依頼者からの権限付与の依頼を受け付け、権限を付与し、権限を管理する機能を１つのサーバ装置にて実行できるような構成とすることもできる。
【００４６】
次に、権限付与処理について説明する。図８は、本発明の実施の形態に係る権限付与処理のフローチャートを示す図である。依頼用端末装置６にて、希望する家事代行スタッフ等の代理者を選択するため、依頼用サーバ装置７へ代理者情報要求を送信する（ステップＳ３１）。依頼用サーバ装置７にて代理者情報要求を受信すると（ステップＳ３２）、代理者情報が依頼用端末装置６へ送信される（ステップＳ３３）。代理者情報には、複数の代理者について、氏名、性別、年齢、経歴、資格等の情報が含まれる。
【００４７】
依頼用端末装置６にて代理者情報を受信すると（ステップＳ３４）、依頼者の入力操作により代理者が選択される（ステップＳ３５）。次に、依頼者の入力操作により、権限を付与する鍵開閉装置４の選択、権限の有効期間の入力などの権限情報の入力がされる（ステップＳ３６）。選択された代理者、権限を付与する鍵開閉装置、権限の有効期間などの権限情報が、依頼用端末装置６から依頼用サーバ装置７へ送信される（ステップＳ３７）。依頼用サーバ装置７にて権限情報を受信すると（ステップＳ３８）、依頼用サーバ装置７からサーバ装置１へ権限情報が送信される（ステップＳ３９）。
【００４８】
サーバ装置１にて権限情報を受信すると（ステップＳ４０）、受信した権限情報が、権限情報テーブル５０に登録される（ステップＳ４１）。権限情報テーブル５０への登録の際には、新たに、権限ナンバー５１が追加され、追加された権限ナンバー５１と関連付けて、鍵識別ＩＤ５２、端末ＩＤ５３、開始時間５４及び終了時間５５が登録される。ステップＳ３５にて選択された代理者が所有する端末装置３の端末識別情報が端末ＩＤ５３として、ステップＳ３６にて選択された鍵開閉装置４の鍵識別情報が鍵識別ＩＤ５２として、ステップＳ３６にて入力された権限の有効期間が開始時間５４及び終了時間５５として、権限情報テーブル５０に登録される。
【００４９】
本発明の電子錠システムは、鍵が設置されるドアや扉であれば、その用途等に限定されずに使用することができる。例えば、マンション、戸建て住宅、商業用ビルなどのドアや、金庫の扉等に適用することができる。
【符号の説明】
【００５０】
１      サーバ装置
１１    制御部
１２    ＲＡＭ
１３    記憶領域
１４    通信インターフェイス
２      通信ネットワーク
３      端末装置
３１    制御部
３２    ＲＡＭ
３３    表示部
３４    表示画面
３５    ストレージ
３６    入力部
３７    通信インターフェイス
４      鍵開閉装置
４１    制御装置
４２    通信インターフェイス
４３    バッテリー
４４    鍵開閉部
５０    権限情報テーブル
６      依頼用端末装置
７      依頼用サーバ装置
【図１】
2016079644.tif 000003
【図２】
2016079644.tif 000004
【図３】
2016079644.tif 000005
【図４】
2016079644.tif 000006
【図５】
2016079644.tif 000007
【図６】
2016079644.tif 000008
【図７】
2016079644.tif 000009
【図８】
2016079644.tif 000010
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
サーバ装置と、サーバ装置と通信により接続が可能な端末装置と、端末装置と通信が可能な、鍵を自動で開閉する鍵開閉装置とを有する電子錠システムであって、
鍵開閉装置が、
鍵開閉装置を識別する鍵識別情報を記憶する鍵識別情報記憶手段と、
記憶した鍵識別情報を端末装置へ送信する鍵識別情報送信手段と
を備え、
端末装置が、
端末を識別する端末識別情報を記憶する端末識別情報記憶手段と、
鍵識別情報を鍵開閉装置から受信する鍵識別情報受信手段と、
鍵識別情報受信手段により鍵識別情報を受信すると、端末識別情報記憶手段に記憶された端末識別情報及び受信した鍵識別情報を識別情報として、サーバ装置へ送信する識別情報送信手段と
を備え、
サーバ装置が、
鍵の解錠の権限に関する権限情報を記憶する権限記憶手段と、
識別情報を端末装置から受信する識別情報受信手段と、
識別情報受信手段により受信した識別情報と権限記憶手段に記憶された権限情報とを照合し、端末装置の権限の有無を判定する権限判定手段と、
権限判定手段により権限を有すると判定された場合に、解錠を認める解錠情報を端末装置へ送信する第一の解錠情報送信手段と
を備え、
端末装置が、さらに、
解錠情報をサーバ装置から受信する第一の解錠情報受信手段と、
受信した解錠情報を鍵開閉装置へ送信する第二の解錠情報送信手段と
を備え、
鍵開閉装置が、さらに、
解錠情報を端末装置から受信する第二の解錠情報受信手段と、
第二の解錠情報受信手段により解錠情報を受信すると、鍵を開ける解錠手段と
を備え、
鍵開閉装置が、鍵の取り付けられた設備に対して設置されたものであり、解錠手段が、該鍵を開けるものであり、
端末装置と鍵開閉装置との通信がＢｌｕｅｔｏｏｔｈ（登録商標）による通信である電子錠システム。
【請求項２】
権限に有効期間が設定されている、請求項１に記載の電子錠システム。
【請求項３】
サーバ装置が、他のサーバ装置と通信することが可能であり、
権限記憶手段に記憶された権限情報が、他のサーバ装置から通信により取得した情報又は該情報により生成される情報である請求項１又は２に記載の電子錠システム。
【請求項４】
権限記憶手段に記憶された権限情報を、他の端末装置から設定することが可能である、請求項１〜３のいずれかに記載の電子錠システム。
【請求項５】
鍵識別情報受信手段において受信した鍵識別情報の信号の強度が所定の強度以上である場合に、識別情報送信手段がサーバ装置へ識別情報を送信する、請求項１〜４のいずれかに記載の電子錠システム。
【請求項６】
鍵開閉装置が、鍵の取り付けられた設備の室内側に設置されることを特徴とする、請求項１〜５のいずれかに記載の電子錠システム。
【請求項７】
サーバ装置と、サーバ装置と通信により接続が可能な端末装置と、端末装置と通信が可能な、鍵を自動で開閉する鍵開閉装置とを有する電子錠システムにおいて実行される解錠方法であって、
鍵開閉装置にて、
第一の記憶手段に記憶された鍵開閉装置を識別する鍵識別情報を端末装置へ送信するステップを実行し、
端末装置にて、
鍵識別情報を鍵開閉装置から受信するステップと、
鍵識別情報を受信すると、第二の記憶手段に記憶された端末を識別する端末識別情報及び受信した鍵識別情報を識別情報として、サーバ装置へ送信するステップと
を実行し、
サーバ装置にて、
識別情報を端末装置から受信するステップと、
受信した識別情報と、第三の記憶手段に記憶された鍵の解錠の権限に関する権限情報とを照合し、端末装置の権限の有無を判定するステップと、
権限を有すると判定された場合に、解錠を認める解錠情報を端末装置へ送信するステップと
を実行し、
端末装置にて、さらに、
解錠情報をサーバ装置から受信するステップと、
受信した解錠情報を鍵開閉装置へ送信するステップと
を実行し、
鍵開閉装置にて、さらに、
解錠情報を端末装置から受信するステップと、
解錠情報を受信すると、鍵を開けるステップと
を実行し、
鍵開閉装置が、鍵の取り付けられた設備に対して設置されたものであり、前記鍵を開けるステップが、該設備に取り付けられた鍵を開けるものであり、
端末装置と鍵開閉装置との通信がＢｌｕｅｔｏｏｔｈ（登録商標）による通信である解錠方法。
【請求項８】
サーバ装置及び鍵を自動で開閉する鍵開閉装置と通信により接続が可能な端末装置であって、
端末を識別する端末識別情報を記憶する端末識別情報記憶手段と、
鍵識別情報を鍵開閉装置から受信する鍵識別情報受信手段と、
鍵識別情報受信手段により鍵識別情報を受信すると、端末識別情報記憶手段に記憶された端末識別情報及び受信した鍵識別情報を識別情報として、サーバ装置へ送信する識別情報送信手段と、
サーバ装置において、受信した識別情報とサーバ装置にて記憶された権限情報とを照合し、鍵の解錠の権限を有すると判定された場合に送信される解錠情報を、サーバ装置から受信する解錠情報受信手段と、
受信した解錠情報を鍵開閉装置へ送信する解錠情報送信手段と
を備え、
鍵開閉装置が、鍵の取り付けられた設備に対して設置されたものであり、解錠手段が、該鍵を開けるものであり、
端末装置と鍵開閉装置との通信がＢｌｕｅｔｏｏｔｈ（登録商標）による通信である端末装置。
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
サーバ装置と、サーバ装置と通信により接続が可能な端末装置と、端末装置と通信が可能な、鍵を自動で開閉する鍵開閉装置とを有する電子錠システムであって、
鍵開閉装置が、
鍵開閉装置を識別する鍵識別情報を記憶する鍵識別情報記憶手段と、
記憶した鍵識別情報を端末装置へ送信する鍵識別情報送信手段と
を備え、
端末装置が、
端末を識別する端末識別情報を記憶する端末識別情報記憶手段と、
鍵識別情報を鍵開閉装置から受信する鍵識別情報受信手段と、
鍵識別情報受信手段により鍵識別情報を受信すると、端末識別情報記憶手段に記憶された端末識別情報及び受信した鍵識別情報を識別情報として、サーバ装置へ送信する識別情報送信手段と
を備え、
サーバ装置が、
鍵の解錠の権限に関する権限情報を記憶する権限記憶手段と、
識別情報を端末装置から受信する識別情報受信手段と、
識別情報受信手段により受信した識別情報と権限記憶手段に記憶された権限情報とを照合し、端末装置の権限の有無を判定する権限判定手段と、
権限判定手段により権限を有すると判定された場合に、解錠を認める解錠情報を端末装置へ送信する第一の解錠情報送信手段と
を備え、
端末装置が、さらに、
解錠情報をサーバ装置から受信する第一の解錠情報受信手段と、
受信した解錠情報を鍵開閉装置へ送信する第二の解錠情報送信手段と
を備え、
鍵開閉装置が、さらに、
解錠情報を端末装置から受信する第二の解錠情報受信手段と、
第二の解錠情報受信手段により解錠情報を受信すると、鍵を開ける解錠手段と
を備え、
鍵開閉装置が、鍵の取り付けられた設備の室内側に対して設置されたものであり、解錠手段が、該鍵を開けるものであり、
端末装置と鍵開閉装置との通信がＢｌｕｅｔｏｏｔｈ（登録商標）による通信である電子錠システム。
【請求項２】
権限に有効期間が設定されている、請求項１に記載の電子錠システム。
【請求項３】
サーバ装置が、他のサーバ装置と通信することが可能であり、
権限記憶手段に記憶された権限情報が、他のサーバ装置から通信により取得した情報又は該情報により生成される情報である請求項１又は２に記載の電子錠システム。
【請求項４】
権限記憶手段に記憶された権限情報を、他の端末装置から設定することが可能である、請求項１〜３のいずれかに記載の電子錠システム。
【請求項５】
鍵識別情報受信手段において受信した鍵識別情報の信号の強度が所定の強度以上である場合に、識別情報送信手段がサーバ装置へ識別情報を送信する、請求項１〜４のいずれかに記載の電子錠システム。
【請求項６】
サーバ装置と、サーバ装置と通信により接続が可能な端末装置と、端末装置と通信が可能な、鍵を自動で開閉する鍵開閉装置とを有する電子錠システムにおいて実行される解錠方法であって、
鍵開閉装置にて、
第一の記憶手段に記憶された鍵開閉装置を識別する鍵識別情報を端末装置へ送信するステップを実行し、
端末装置にて、
鍵識別情報を鍵開閉装置から受信するステップと、
鍵識別情報を受信すると、第二の記憶手段に記憶された端末を識別する端末識別情報及び受信した鍵識別情報を識別情報として、サーバ装置へ送信するステップと
を実行し、
サーバ装置にて、
識別情報を端末装置から受信するステップと、
受信した識別情報と、第三の記憶手段に記憶された鍵の解錠の権限に関する権限情報とを照合し、端末装置の権限の有無を判定するステップと、
権限を有すると判定された場合に、解錠を認める解錠情報を端末装置へ送信するステップと
を実行し、
端末装置にて、さらに、
解錠情報をサーバ装置から受信するステップと、
受信した解錠情報を鍵開閉装置へ送信するステップと
を実行し、
鍵開閉装置にて、さらに、
解錠情報を端末装置から受信するステップと、
解錠情報を受信すると、鍵を開けるステップと
を実行し、
鍵開閉装置が、鍵の取り付けられた設備の室内側に対して設置されたものであり、前記鍵を開けるステップが、該設備に取り付けられた鍵を開けるものであり、
端末装置と鍵開閉装置との通信がＢｌｕｅｔｏｏｔｈ（登録商標）による通信である解錠方法。
【請求項７】
サーバ装置及び鍵を自動で開閉する鍵開閉装置と通信により接続が可能な端末装置であって、
端末を識別する端末識別情報を記憶する端末識別情報記憶手段と、
鍵識別情報を鍵開閉装置から受信する鍵識別情報受信手段と、
鍵識別情報受信手段により鍵識別情報を受信すると、端末識別情報記憶手段に記憶された端末識別情報及び受信した鍵識別情報を識別情報として、サーバ装置へ送信する識別情報送信手段と、
サーバ装置において、受信した識別情報とサーバ装置にて記憶された権限情報とを照合し、鍵の解錠の権限を有すると判定された場合に送信される解錠情報を、サーバ装置から受信する解錠情報受信手段と、
受信した解錠情報を鍵開閉装置へ送信する解錠情報送信手段と
を備え、
鍵開閉装置が、鍵の取り付けられた設備の室内側に対して設置されたものであり、解錠手段が、該鍵を開けるものであり、
端末装置と鍵開閉装置との通信がＢｌｕｅｔｏｏｔｈ（登録商標）による通信である端末装置。